【事件の表示】
　国際登録第７４３８８９号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、別掲のとおりの構成よりなり、第９類、第１４類、第１６類、第２５類、第２８類、第３５類、第３８類、第４１類及び第４２類に属する国際登録において指定された商品及び役務を指定商品及び指定役務として、２０００年３月２日にＦｒａｎｃｅにおいてした商標登録出願に基づいてパリ条約第４条による優先権を主張し、２０００年（平成１２年）８月３１日を国際登録の日とするものである。そして、指定商品及び指定役務については、２００３年９月２６日にされた商品及び役務の限定により、第９類「Ｎａｕｔｉｃａｌ，ｓｕｒｖｅｙｉｎｇ　ａｐｐａｒａｔｕｓ　ａｎｄ　ｉｎｓｔｒｕｍｅｎｔｓ（ｏｔｈｅｒ　ｔｈａｎ　ｆｏｒ　ｍｅｄｉｃａｌ　ｕｓｅ），ｐｈｏｔｏｇｒａｐｈｉｃ，ｃｉｎｅｍａｔｏｇｒａｐｈｉｃ，ｏｐｔｉｃａｌ，ｗｅｉｇｈｉｎｇ，ｍｅａｓｕｒｉｎｇ，ｍｏｎｉｔｏｒｉｎｇ（ｉｎｓｐｅｃｔｉｏｎ），ｒｅｓｃｕｅ（ｅｍｅｒｇｅｎｃｙ）ａｎｄ　ｔｅａｃｈｉｎｇ　ａｐｐａｒａｔｕｓ　ａｎｄ　ｉｎｓｔｒｕｍｅｎｔｓ，ｌｕｍｉｎｏｕｓ　ｏｒ　ｍｅｃｈａｎｉｃａｌ　ｓｉｇｎａｌｓ；ａｐｐａｒａｔｕｓ　ｆｏｒ　ｒｅｃｏｒｄｉｎｇ，ｔｒａｎｓｍｉｔｔｉｎｇ　ｏｒ　ｒｅｐｒｏｄｕｃｉｎｇ　ｓｏｕｎｄ　ｏｒ　ｉｍａｇｅｓ；ｍａｇｎｅｔｉｃ　ｒｅｃｏｒｄｉｎｇ　ｍｅｄｉａ，ｐｈｏｎｏｇｒａｐｈｉｃ　ｒｅｃｏｒｄｓ；ａｕｔｏｍａｔｉｃ　ｖｅｎｄｉｎｇ　ｍａｃｈｉｎｅｓ　ａｎｄ　ｍｅｃｈａｎｉｓｍｓ　ｆｏｒ　ｃｏｉｎ−ｏｐｅｒａｔｅｄ　ａｐｐａｒａｔｕｓ；ｃａｓｈ　ｒｅｇｉｓｔｅｒｓ，ｃａｌｃｕｌａｔｏｒｓ，ｃｏｍｐｕｔｅｒｓ，ｄａｔａ　ｐｒｏｃｅｓｓｉｎｇ　ａｎｄ　ｃｏｍｐｕｔｅｒ　ａｐｐａｒａｔｕｓ；ｆｉｒｅ−ｅｘｔｉｎｇｕｉｓｈｅｒｓ；ｅｘｐｏｓｅｄ　ｆｉｌｍｓ，ｍａｇｎｅｔｉｃ　ｔａｐｅｓ，ａｐｐａｒａｔｕｓ　ｆｏｒ　ｐｈｏｔｏｇｒａｐｈｉｃ　ｒｅｐｒｏｄｕｃｔｉｏｎ　ａｎｄ　ｅｎｌａｒｇｅｍｅｎｔ，ｓｔｉｌｌ　ａｎｄ　ｍｏｔｉｏｎ−ｐｉｃｔｕｒｅ　ｐｒｏｊｅｃｔｏｒｓ，ａｍｐｌｉｆｉｅｒｓ，ｌｏｕｄｓｐｅａｋｅｒｓ，ｔｅａｃｈｉｎｇ　ａｐｐａｒａｔｕｓ，ｔｅｌｅｐｈｏｔｏｇｒａｐｈｙ，ｔｅｌｅｃｉｎｅ−ｐｒｏｊｅｃｔｉｏｎ，ｔｅｌｅｖｉｓｉｏｎ　ａｎｄ　ｃａｂｌｅ−ｔｅｌｅｖｉｓｉｏｎ　ｒｅｃｅｉｖｅｒｓ，ｓｏｕｎｄ　ａｎｄ　ｉｍａｇｅ　ｓｙｎｃｈｒｏｎｉｓｉｎｇ　ｄｅｖｉｃｅｓ；ｖｉｄｅｏｔａｐｅｓ，ｖｉｄｅｏｃａｓｓｅｔｔｅｓ，ｖｉｄｅｏｇｒａｍｓ，ｓｏｕｎｄ　ｒｅｃｏｒｄｉｎｇ　ｍｅｄｉａ，ｍａｇｎｅｔｉｃ　ｔａｐｅ　ｒｅｃｏｒｄｅｒｓ，ｄｉｇｉｔａｌ　ｔａｐｅ　ｒｅｃｏｒｄｅｒｓ，ｔｉｃｋｅｔ　ｄｉｓｐｅｎｓｅｒｓ，ｄｅｖｉｃｅｓ　ｆｏｒ　ｆｉｌｍ　ｅｄｉｔｉｎｇ，ｃａｍｅｒａｓ，ｃｏｍｐａｃｔ　ｄｉｓｋｓ．」、第１４類「Ｔｉｍｅｐｉｅｃｅｓ　ａｎｄ　ｃｈｒｏｎｏｍｅｔｒｉｃ　ｉｎｓｔｒｕｍｅｎｔｓ．」、第１６類「Ｐａｐｅｒ　ａｎｄ　ｃａｒｄｂｏａｒｄ（ｕｎｐｒｏｃｅｓｓｅｄ，ｓｅｍｉ−ｐｒｏｃｅｓｓｅｄ　ｏｒ　ｆｏｒ　ｓｔａｔｉｏｎｅｒｙ　ｕｓｅ）；ｐｒｉｎｔｅｄ　ｍａｔｔｅｒ；ｂｏｏｋｂｉｎｄｉｎｇ　ｍａｔｅｒｉａｌ；ｐｈｏｔｏｇｒａｐｈｓ；ｓｔａｔｉｏｎｅｒｙ；ａｄｈｅｓｉｖｅｓ　ｆｏｒ　ｓｔａｔｉｏｎｅｒｙ　ｏｒ　ｈｏｕｓｅｈｏｌｄ　ｐｕｒｐｏｓｅｓ；ｓｔａｔｉｏｎｅｒｙ　ｏｆ　ａｒｔｉｓｔｓ’ｓｕｐｐｌｉｅｓ；ｐａｉｎｔｂｒｕｓｈｅｓ；ｔｙｐｅｗｒｉｔｅｒｓ　ａｎｄ　ｏｆｆｉｃｅ　ａｒｔｉｃｌｅｓ（ｅｘｃｅｐｔ　ｆｕｒｎｉｔｕｒｅ）；ｉｎｓｔｒｕｃｔｉｏｎａｌ　ｏｒ　ｔｅａｃｈｉｎｇ　ｍａｔｅｒｉａｌ（ｅｘｃｅｐｔ　ａｐｐａｒａｔｕｓ）；ｐｌａｙｉｎｇ　ｃａｒｄｓ；ｐｒｉｎｔｅｒ’ｓ　ｔｙｐｅ；ｐｒｉｎｔｉｎｇ　ｂｌｏｃｋｓ．」、第２５類「Ｃｌｏｔｈｉｎｇ，ｆｏｏｔｗｅａｒ（ｅｘｃｅｐｔ　ｏｒｔｈｏｐａｅｄｉｃ　ｆｏｏｔｗｅａｒ）；ｈｅａｄｗｅａｒ．」、第２８類「Ｇａｍｅｓ，ｔｏｙｓ；ｇｙｍｎａｓｔｉｃ　ａｎｄ　ｓｐｏｒｔｉｎｇ　ａｒｔｉｃｌｅｓ（ｅｘｃｅｐｔ　ｃｌｏｔｈｉｎｇ，ｆｏｏｔｗｅａｒ　ａｎｄ　ｍａｔｓ）；Ｃｈｒｉｓｔｍａｓ　ｔｒｅｅ　ｄｅｃｏｒａｔｉｏｎｓ．」、第３５類「　Ａｄｖｅｒｔｉｓｉｎｇ；ｒａｄｉｏ　ａｄｖｅｒｔｉｓｉｎｇ，ｔｅｌｅｖｉｓｉｏｎ　ａｄｖｅｒｔｉｓｉｎｇ；ｂｕｓｉｎｅｓｓ　ｍａｎａｇｅｍｅｎｔ；ｃｏｍｍｅｒｃｉａｌ　ａｄｍｉｎｉｓｔｒａｔｉｏｎ；ｏｆｆｉｃｅ　ｔａｓｋｓ；ｄｉｓｔｒｉｂｕｔｉｏｎ　ｏｆ　ｂｒｏｃｈｕｒｅｓ　ａｎｄ　ｓａｍｐｌｅｓ；ｎｅｗｓｐａｐｅｒ　ｓｕｂｓｃｒｉｐｔｉｏｎ　ｓｅｒｖｉｃｅｓ　ｆｏｒ　ｔｈｉｒｄ　ｐａｒｔｉｅｓ；ｂｕｓｉｎｅｓｓ　ｃｏｎｓｕｌｔｉｎｇ，ｉｎｑｕｉｒｉｅｓ　ｏｒ　ｉｎｆｏｒｍａｔｉｏｎ；ｃｏｍｍｅｒｃｉａｌ　ｏｒ　ｉｎｄｕｓｔｒｉａｌ　ｍａｎａｇｅｍｅｎｔ　ａｓｓｉｓｔａｎｃｅ；ｄｏｃｕｍｅｎｔ　ｒｅｐｒｏｄｕｃｔｉｏｎ；ｃｏｍｐｕｔｅｒ　ｆｉｌｅ　ｍａｎａｇｅｍｅｎｔ；ｏｒｇａｎｉｓａｔｉｏｎ　ｏｆ　ｅｘｈｉｂｉｔｉｏｎｓ　ｆｏｒ　ｃｏｍｍｅｒｃｉａｌ　ｏｒ　ａｄｖｅｒｔｉｓｉｎｇ　ｐｕｒｐｏｓｅｓ，ｐｕｂｌｉｃ　ｒｅｌａｔｉｏｎｓ　ｓｅｒｖｉｃｅｓ．」、第３８類「Ｔｅｌｅｃｏｍｍｕｎｉｃａｔｉｏｎｓ；ｐｒｅｓｓ　ａｎｄ　ｉｎｆｏｒｍａｔｉｏｎ　ａｇｅｎｃｉｅｓ；ｃｏｍｍｕｎｉｃａｔｉｏｎ　ｖｉａ　ｃｏｍｐｕｔｅｒ　ｔｅｒｍｉｎａｌｓ；ｔｒａｎｓｍｉｓｓｉｏｎ，ｃｏｍｍｕｎｉｃａｔｉｏｎ　ａｎｄ　ｔｅｌｅｃｏｍｍｕｎｉｃａｔｉｏｎ　ｓｅｒｖｉｃｅｓ　ｐｒｏｖｉｄｅｄ　ｔｈｒｏｕｇｈ　ａｎｙ　ｍｅａｎｓ，ｉｎｃｌｕｄｉｎｇ　ｅｌｅｃｔｒｏｎｉｃ，ｃｏｍｐｕｔｅｒ　ａｎｄ　ｔｅｌｅｐｈｏｎｅ　ｅｑｕｉｐｍｅｎｔ；ｔｒａｎｓｍｉｔｔｉｎｇ，ｃｏｍｍｕｎｉｃａｔｉｎｇ　ａｎｄ　ｔｅｌｅｃｏｍｍｕｎｉｃａｔｉｎｇ　ｍｅｓｓａｇｅｓ，ｉｎｆｏｒｍａｔｉｏｎ　ａｎｄ　ｄａｔａ　ｏｆ　ａｌｌ　ｋｉｎｄｓ，ｉｎｃｌｕｄｉｎｇ　ｔｈｏｓｅ　ｐｒｏｖｉｄｅｄ　ｏｎ　ｌｉｎｅ　ｏｒ　ｓｔｏｒｅｄ　ａｎｄ　ｆｏｒｗａｒｄｅｄ　ｆｒｏｍ　ｄａｔａ−ｐｒｏｃｅｓｓｉｎｇ　ｓｙｓｔｅｍｓ，ｆｒｏｍ　ｃｏｍｐｕｔｅｒ　ｄａｔａｂａｓｅｓ　ｏｒ　ｃｏｍｐｕｔｅｒ　ｃｏｍｍｕｎｉｃａｔｉｏｎ　ｎｅｔｗｏｒｋｓ，ｉｎｃｌｕｄｉｎｇ　ｔｈｅ　Ｉｎｔｅｒｎｅｔ　ａｎｄ　ｔｈｅ　Ｗｏｒｌｄ　Ｗｉｄｅ　Ｗｅｂ；ｅｌｅｃｔｒｏｎｉｃ　ａｎｄ　ｃｏｍｐｕｔｅｒ　ｍａｉｌ　ａｎｄ　ｍｅｓｓａｇｅ　ｓｅｒｖｉｃｅｓ；ｎｅｗｓ　ａｇｅｎｃｉｅｓ；ｓｕｐｐｌｙ　ｏｆ　ｔｅｌｅｃｏｍｍｕｎｉｃａｔｉｏｎ　ａｃｃｅｓｓ　ａｎｄ　ｃｏｎｎｅｃｔｉｏｎ　ｓｅｒｖｉｃｅｓ　ｔｏ　ｄａｔａ　ｐｒｏｃｅｓｓｉｎｇ　ｓｙｓｔｅｍｓ，ｃｏｍｐｕｔｅｒ　ｄａｔａｂａｓｅｓ　ｏｒ　ｃｏｍｐｕｔｅｒ　ｏｒ　ｄａｔａ　ｃｏｍｍｕｎｉｃａｔｉｏｎ　ｎｅｔｗｏｒｋｓ，ｉｎｃｌｕｄｉｎｇ　ｔｈｅ　Ｉｎｔｅｒｎｅｔ　ａｎｄ　ｔｈｅ　Ｗｏｒｌｄ　Ｗｉｄｅ　Ｗｅｂ　ｐａｒｔｉｃｕｌａｒｌｙ；ｔｅｌｅｃｏｍｍｕｎｉｃａｔｉｏｎ　ｓｅｒｖｉｃｅｓ　ｐｒｏｖｉｄｅｄ　ｖｉａ　ｔｈｅ　Ｉｎｔｅｒｎｅｔ；ｓａｔｅｌｌｉｔｅ　ｔｒａｎｓｍｉｓｓｉｏｎ；ｃｏｍｐｕｔｅｒ　ｃｏｍｍｕｎｉｃａｔｉｏｎ　ｓｅｒｖｉｃｅｓ　ａｃｃｅｓｓｉｂｌｅ　ｖｉａ　ｃｏｄｅ，ｍｅｓｓａｇｅ　ｃｏｍｍｕｎｉｃａｔｉｏｎ，ｂｒｏａｄｃａｓｔｉｎｇ　ｏｆ　ｒａｄｉｏ　ｏｒ　ｔｅｌｅｖｉｓｉｏｎ　ｐｒｏｇｒａｍｍｅｓ，ｒａｄｉｏ　ｐｒｏｇｒａｍｍｅｓ，ｔｅｌｅｖｉｓｉｏｎ　ｐｒｏｇｒａｍｍｅｓ，ｃａｂｌｅ　ｔｅｌｅｖｉｓｉｏｎ，ｓａｔｅｌｌｉｔｅ　ｔｅｌｅｖｉｓｉｏｎ　ｂｒｏａｄｃａｓｔｉｎｇ．」、第４１類「Ｅｄｕｃａｔｉｏｎ；ｔｒａｉｎｉｎｇ；ｅｎｔｅｒｔａｉｎｍｅｎｔ；ｓｐｏｒｔｓ　ａｃｔｉｖｉｔｉｅｓ；ｅｎｔｅｒｔａｉｎｅｒ　ｓｅｒｖｉｃｅｓ；ｏｒｇａｎｉｚａｔｉｏｎ　ｏｆ　ｅｘｈｉｂｉｔｉｏｎｓ　ｆｏｒ　ｃｕｌｔｕｒａｌ　ｏｒ　ｅｄｕｃａｔｉｏｎａｌ　ｐｕｒｐｏｓｅｓ；ｏｒｃｈｅｓｔｒａ　ｓｅｒｖｉｃｅｓ；ｏｒｇａｎｉｚａｔｉｏｎ　ｏｆ　ｓｈｏｗｓ（ｉｍｐｒｅｓａｒｉｏ　ｓｅｒｖｉｃｅｓ）；ｐｒｅｓｅｎｔａｔｉｏｎ　ｏｆ　ｌｉｖｅ　ｐｅｒｆｏｒｍａｎｃｅｓ；ａｒｒａｎｇｉｎｇ　ａｎｄ　ｃｏｎｄｕｃｔｉｎｇ　ｏｆ　ｓｅｍｉｎａｒｓ；ｐｒｏｄｕｃｔｉｏｎ　ｏｆ　ｓｈｏｗｓ；ｒｅｖｉｅｗ，ｎｅｗｓｐａｐｅｒ　ｏｒ　ｂｏｏｋ　ｐｕｂｌｉｓｈｉｎｇ，ｂｏｏｋ　ｌｏａｎｉｎｇ；ｆｉｌｍｓ　ａｎｄ　ｔｅｌｅｖｉｓｉｏｎ　ｆｉｌｍｓ；ｐｅｒｆｏｒｍｉｎｇ　ａｒｔｓ’ａｇｅｎｃｉｅｓ；ｒｅｎｔａｌ　ｏｆ　ｆｉｌｍｓ，ｓｏｕｎｄ　ｒｅｃｏｒｄｉｎｇｓ，ｃｉｎｅｍａｔｏｇｒａｐｈｉｃ　ｐｒｏｊｅｃｔｉｏｎ　ａｐｐａｒａｔｕｓ　ａｎｄ　ａｃｃｅｓｓｏｒｉｅｓ　ａｎｄ　ｔｈｅａｔｒｅ　ｓｔａｇｅ　ｓｅｔｓ；ｖｉｄｅｏｔａｐｅ　ｅｄｉｔｉｎｇ；ａｒｒａｎｇｉｎｇ　ｏｆ　ｃｏｍｐｅｔｉｔｉｏｎｓ　ｉｎ　ｔｈｅ　ｆｉｅｌｄ　ｏｆ　ｅｄｕｃａｔｉｏｎ　ｏｒ　ｅｎｔｅｒｔａｉｎｍｅｎｔ；ｏｒｇａｎｉｓａｔｉｏｎ　ａｎｄ　ｈｏｌｄｉｎｇ　ｏｆ　ｃｏｌｌｏｑｕｉｕｍｓ，ｃｏｎｆｅｒｅｎｃｅｓ　ａｎｄ　ｃｏｎｖｅｎｔｉｏｎｓ；ｏｒｇａｎｉｓａｔｉｏｎ　ｏｆ　ｅｘｈｉｂｉｔｉｏｎｓ　ｆｏｒ　ｃｕｌｔｕｒａｌ　ｏｒ　ｅｄｕｃａｔｉｏｎａｌ　ｐｕｒｐｏｓｅｓ；ｏｐｅｒａｔｉｎｇ　ｌｏｔｔｅｒｉｅｓ；ｂｏｏｋｉｎｇ　ｏｆ　ｓｅａｔｓ　ｆｏｒ　ｓｈｏｗｓ；ｒｅｎｔａｌ　ｏｆ　ｖｉｄｅｏｔａｐｅｓ，ｖｉｄｅｏｃａｓｓｅｔｔｅｓ　ａｎｄ　ｖｉｄｅｏｇｒａｍｓ，ｐｒｏｄｕｃｔｉｏｎ　ｏｆ　ｆｉｌｍｓ　ｏｎ　ｖｉｄｅｏｔａｐｅｓ，ｖｉｄｅｏｃａｓｓｅｔｔｅｓ　ａｎｄ　ｖｉｄｅｏｇｒａｍｓ，ｏｐｅｒａｔｉｎｇ　ｃｉｎｅｍａ　ｆａｃｉｌｉｔｉｅｓ，ｐｒｏｖｉｄｉｎｇ　ａｍｕｓｅｍｅｎｔ　ａｒｃａｄｅ　ｓｅｒｖｉｃｅｓ，ｃｉｎｅｍａ　ｓｔｕｄｉｏｓ，ｒｅｎｔａｌ　ｏｆ　ｃｉｎｅｍａｔｏｇｒａｐｈｉｃ　ａｐｐａｒａｔｕｓ　ａｎｄ　ａｃｃｅｓｓｏｒｉｅｓ，ｒｅｎｔａｌ　ｏｆ　ｓｈｏｗ　ｓｃｅｎｅｒｙ，ｒａｄｉｏ　ｅｎｔｅｒｔａｉｎｍｅｎｔ，ｔｅｌｅｖｉｓｉｏｎ　ｅｎｔｅｒｔａｉｎｍｅｎｔ，ｒｅｎｔａｌ　ｏｆ　ｓｏｕｎｄ　ｒｅｃｏｒｄｉｎｇｓ，ｐｒｏｄｕｃｔｉｏｎ　ｏｆ　ｒａｄｉｏ　ａｎｄ　ｔｅｌｅｖｉｓｉｏｎ　ｐｒｏｇｒａｍｍｅｓ，ｐｒｅｓｅｎｔａｔｉｏｎ　ｏｆ　ｌｉｖｅ　ｐｅｒｆｏｒｍａｎｃｅｓ，ｒｅｃｏｒｄｉｎｇ　ｓｔｕｄｉｏ　ｓｅｒｖｉｃｅｓ，ｆｉｌｍ　ｄｉｓｔｒｉｂｕｔｉｏｎ．」及び第４２類「Ｐｒｏｖｉｄｉｎｇ　ｏｆ　ｆｏｏｄ　ａｎｄ　ｄｒｉｎｋ；ｃｏｆｆｅｅ　ｓｈｏｐｓ，ｃａｆｅｔｅｒｉａｓ，ｒｅｓｔａｕｒａｎｔｓ，ｓｅｌｆ−ｓｅｒｖｉｃｅ　ｒｅｓｔａｕｒａｎｔｓ；ｔｅｍｐｏｒａｒｙ　ａｃｃｏｍｍｏｄａｔｉｏｎ；ｓａｎｉｔａｒｙ　ａｎｄ　ｂｅａｕｔｙ　ｃａｒｅ；ｓｃｉｅｎｔｉｆｉｃ　ａｎｄ　ｉｎｄｕｓｔｒｉａｌ　ｒｅｓｅａｒｃｈ；ｃｏｍｐｕｔｅｒ　ｐｒｏｇｒａｍｍｉｎｇ；ｒｅｓｔ　ａｎｄ　ｃｏｎｖａｌｅｓｃｅｎｔ　ｈｏｍｅｓ；ｄａｙ−ｎｕｒｓｅｒｉｅｓ；ｍａｒｒｉａｇｅ　ｂｕｒｅａｕｘ；ｅｘｐｅｒｔｉｓｅ　ａｃｔｉｖｉｔｉｅｓ，ｐｒｏｆｅｓｓｉｏｎａｌ　ｃｏｎｓｕｌｔａｎｃｙ　ａｎｄ　ｄｒａｗｉｎｇ　ｕｐ　ｏｆ　ｐｌａｎｓ　ｕｎｒｅｌａｔｅｄ　ｔｏ　ｂｕｓｉｎｅｓｓ　ｄｅａｌｉｎｇｓ；ｐｒｏｓｐｅｃｔｉｎｇ；ｍａｔｅｒｉａｌｓ　ｔｅｓｔｉｎｇ；ｌａｂｏｒａｔｏｒｙ　ｓｅｒｖｉｃｅｓ；ｒｅｎｔａｌ　ｏｆ　ｃｌｏｔｈｉｎｇ，ｂｅｄｄｉｎｇ，ｖｅｎｄｉｎｇ　ｍａｃｈｉｎｅｓ；ｐｒｉｎｔｉｎｇ　ｓｅｒｖｉｃｅｓ；ｌｅａｓｉｎｇ　ａｃｃｅｓｓ　ｔｉｍｅ　ｔｏ　ａ　ｃｏｍｐｕｔｅｒ　ｄａｔａｂａｓｅ　ｓｅｒｖｅｒ；ｎｅｗｓ　ｒｅｐｏｒｔｅｒｓ　ｓｅｒｖｉｃｅｓ；ｐｈｏｔｏｇｒａｐｈｉｃ　ｒｅｐｏｒｔｉｎｇ；ｅｘｈｉｂｉｔｉｏｎ−ｓｉｔｅ　ｍａｎａｇｅｍｅｎｔ；ｐｒｏｆｅｓｓｉｏｎａｌ　ｃｏｎｓｕｌｔａｎｃｙ　ｃｏｎｃｅｒｎｉｎｇ　ｒｅｃｏｒｄｉｎｇ　（ｆｉｌｍｉｎｇ）ｏｎ　ｖｉｄｅｏｔａｐｅｓ，ｖｉｄｅｏｃａｓｓｅｔｔｅｓ，ｖｉｄｅｏｇｒａｍｓ　ａｎｄ　ｏｎ　ｃｉｎｅｍａｔｏｇｒａｐｈｉｃ　ｆｉｌｍｓ．」となったものである。
２　査定の拒絶理由の要点
　原査定は、「本願の指定商品及び指定役務中には、その表示が不明確なものがあるから、商標法第６条第１項の要件を具備しない。」旨認定、判断し、本願を拒絶したものである。
３　当審の判断
　本願商標は、その指定商品及び指定役務について前記１のとおり限定された結果、本願の指定商品及び指定役務は、商品及び役務の内容が明確なものとなり、商標法第６条第１項の要件を具備するものとなった。
　したがって、本願が商標法第６条第１項の要件を具備しないとした原査定の拒絶理由は解消した。
　その他、政令で定める期間内に本願を拒絶すべき理由を発見しない。
　よって、結論のとおり審決する。